(57)【要約】【課題】録画予約を設定するときの電子番組ガイドの情報量の低下を抑制し、同じ時間帯に提供される複数の番組の録画予約の設定を好適に実行可能な録画装置を提供する。【解決手段】録画装置１は、複数のチューナ部２と、番組を録画する記録部４と、電子番組ガイド２０を作成する電子番組ガイド処理部９と、操作部６と、電子番組ガイド２０のみを記載した画面データに係る信号である番組ガイド画像信号と、録画予約欄２２を複数のチューナ部２毎に電子番組ガイド２０に隣接させて併記した画面データに係る信号である録画予約画像信号と、を生成して出力する制御部７と、を備える。そして、制御部７が、番組ガイド画像信号の出力中に操作部６が番組の録画予約の設定に係る操作を受け付けたときに録画予約画像信号を出力し、録画予約画像信号の出力中に操作部６が番組の録画予約の完了に係る操作を受け付けたときに番組ガイド画像信号を出力する。【選択図】図１
2015019202.tif 000002
【特許請求の範囲】
【請求項１】
複数の受信部と、
前記受信部が放送信号として受信した番組を録画する記録部と、
前記放送信号に含まれる電子番組ガイドデータから電子番組ガイドを作成する電子番組ガイド処理部と、
ユーザによる前記電子番組ガイドに係る操作と前記番組の録画予約に係る操作とを受け付ける操作部と、
前記電子番組ガイドのみを記載した画面データに係る信号である番組ガイド画像信号と、前記番組の録画予約に係る情報欄を前記複数の受信部毎に前記電子番組ガイドに隣接させて併記した画面データに係る信号である録画予約画像信号と、を生成して出力する制御部と、
を備え、
前記制御部が、前記番組ガイド画像信号の出力中に前記操作部が前記番組の録画予約の設定に係る操作を受け付けたときに前記録画予約画像信号を出力し、前記録画予約画像信号の出力中に前記操作部が前記番組の録画予約の完了に係る操作を受け付けたときに前記番組ガイド画像信号を出力することを特徴とする録画装置。
【請求項２】
前記録画予約画像信号が、前記番組の録画予約に係る情報欄を減縮して前記複数の受信部毎に前記電子番組ガイドに隣接させて併記した画像信号からなることを特徴とする請求項１に記載の録画装置。
【請求項３】
前記録画予約画像信号が、録画予約の候補として選択されている前記番組と放送時間帯が重複する他の番組の録画予約が既に設定されている前記受信部に対応する情報欄を削除して前記複数の受信部毎に前記電子番組ガイドに隣接させて併記した画像信号からなることを特徴とする請求項２に記載の録画装置。
【請求項４】
前記録画予約画像信号が、既に録画予約が設定されている前記受信部に対応する情報欄のみ前記複数の受信部毎に前記電子番組ガイドに隣接させて併記した画像信号からなることを特徴とする請求項２に記載の録画装置。
【請求項５】
前記録画予約画像信号が、既に録画予約が設定されている前記受信部に対応する情報量に対して録画予約が設定されていない前記受信部に対応する情報量が少なくなるように前記番組の録画予約に係る情報欄を前記複数の受信部毎に前記電子番組ガイドに隣接させて併記した画像信号からなることを特徴とする請求項２に記載の録画装置。
【請求項６】
前記録画予約画像信号が、前記電子番組ガイドに係る情報欄が録画予約の候補として選択されている前記番組の情報欄に基づいた記載形態をなす画像信号からなることを特徴とする請求項２〜請求項５のいずれか１項に記載の録画装置。
【請求項７】
前記録画予約画像信号が、前記電子番組ガイドのうち録画予約の候補として選択されている前記番組が属するチャンネルの情報欄を前記番組の録画予約に係る情報欄に隣接させて併記した画像信号からなることを特徴とする請求項６に記載の録画装置。
【請求項８】
前記録画予約画像信号が、前記電子番組ガイドから既に録画予約が設定されている前記番組が属するチャンネルの情報欄を削除した画像信号からなることを特徴とする請求項６に記載の録画装置。
【請求項９】
前記録画予約画像信号が、前記電子番組ガイドのうち録画予約の候補として選択されている前記番組に類似する他の番組の情報欄を、録画予約の候補として選択されている前記番組が属するチャンネルの情報欄に隣接させて併記した画像信号からなることを特徴とする請求項６に記載の録画装置。
【発明の詳細な説明】
【技術分野】
【０００１】
本発明は録画装置に関する。
【背景技術】
【０００２】
従来の録画装置は放送局やインターネットなどから提供される番組の録画が可能である。例えば、ユーザが録画装置に対して番組の録画予約の設定をしておけば、録画装置が予約に対応する番組に係る放送信号を受信したときに自動的にその番組を録画する。
【０００３】
一方、テレビジョン放送信号を受信する録画装置はテレビジョン放送がデジタル化されたことに伴い、従来の映像や音声に加えてデータ放送や字幕、電子番組ガイドなどをユーザに提供できるようになった。特に、電子番組ガイド（EPG：Electronic Program Guide）は番組検索や録画予約に利用され、ユーザにとって重要な機能である。このような電子番組ガイドに係る従来技術が特許文献１に記載されている。
【０００４】
特許文献１に記載された従来の電子番組ガイドに係る制御装置は放送番組の録画予約を設定する装置であって、同じ時間帯に放送される複数の番組を録画する複数の記録装置を制御することができる。この従来の制御装置は電子番組ガイドと、録画予約に関する情報と、を記録装置毎に放送時間順に並べた表示欄を表示させる機能を有する。これにより、放送時間が重複する放送番組の録画予約において、いずれの記録装置で実行されるのかを容易に認識することができる。
【先行技術文献】
【特許文献】
【０００５】
【特許文献１】特開２００５−２１７９１５号公報
【発明の概要】
【発明が解決しようとする課題】
【０００６】
ここで、昨今の録画装置は同時録画の機能が進歩し、同じ時間帯に放送される複数の番組を同時に受信することが可能な受信部の数量が比較的多くなってきている。これにより、番組の録画予約に係る情報欄を複数の受信部毎に電子番組ガイドに隣接させて併記する場合、録画予約を設定するときにユーザが見ることができる電子番組ガイドに係る情報欄が大幅に減少する虞がある。したがって、録画予約を設定するときにユーザがどのような番組が放送されているかを確認することができず、支障をきたす可能性がある。
【０００７】
本発明は、上記の点に鑑みなされたものであり、録画予約を設定するときの電子番組ガイドに係る情報量の低下を抑制しながら、同じ時間帯に提供される複数の番組の録画予約の設定を好適に実行することが可能な録画装置を提供することを目的とする。
【課題を解決するための手段】
【０００８】
上記の課題を解決するため、本発明の録画装置は、複数の受信部と、前記受信部が放送信号として受信した番組を録画する記録部と、前記放送信号に含まれる電子番組ガイドデータから電子番組ガイドを作成する電子番組ガイド処理部と、ユーザによる前記電子番組ガイドに係る操作と前記番組の録画予約に係る操作とを受け付ける操作部と、前記電子番組ガイドのみを記載した画面データに係る信号である番組ガイド画像信号と、前記番組の録画予約に係る情報欄を前記複数の受信部毎に前記電子番組ガイドに隣接させて併記した画面データに係る信号である録画予約画像信号と、を生成して出力する制御部と、を備え、前記制御部が、前記番組ガイド画像信号の出力中に前記操作部が前記番組の録画予約の設定に係る操作を受け付けたときに前記録画予約画像信号を出力し、前記録画予約画像信号の出力中に前記操作部が前記番組の録画予約の完了に係る操作を受け付けたときに前記番組ガイド画像信号を出力することを特徴としている。
【０００９】
この構成によれば、録画装置は操作部が受け付けたユーザの操作に基づいて番組ガイド画像信号の出力と、録画予約画像信号の出力と、を切り替える。したがって、録画予約を設定するときにユーザが見ることができる電子番組ガイドに係る情報量の低下が抑制される。さらに、同じ時間帯に提供される複数の番組の録画予約の設定も容易になる。
【００１０】
また、上記構成の録画装置において、前記録画予約画像信号が、前記番組の録画予約に係る情報欄を減縮して前記複数の受信部毎に前記電子番組ガイドに隣接させて併記した画像信号からなることを特徴としている。
【００１１】
この構成によれば、前記複数の受信部に対応する番組の録画予約に係る情報欄をすべて記載する場合と比較して、電子番組ガイドに係る情報量が増加する。
【００１２】
また、上記構成の録画装置において、前記録画予約画像信号が、録画予約の候補として選択されている前記番組と放送時間帯が重複する他の番組の録画予約が既に設定されている前記受信部に対応する情報欄を削除して前記複数の受信部毎に前記電子番組ガイドに隣接させて併記した画像信号からなることを特徴としている。
【００１３】
この構成によれば、前記複数の受信部に対応する番組の録画予約に係る情報欄をすべて記載する場合と比較して、電子番組ガイドに係る情報量が増加する。さらに、録画予約が既に設定されている受信部に対応する情報欄が削除され、残った受信部に対応する情報欄が明確になる。したがって、放送時間帯が重複する番組をあといくつ録画予約できるか確認が容易になる。
【００１４】
また、上記構成の録画装置において、前記録画予約画像信号が、既に録画予約が設定されている前記受信部に対応する情報欄のみ前記複数の受信部毎に前記電子番組ガイドに隣接させて併記した画像信号からなることを特徴としている。
【００１５】
この構成によれば、前記複数の受信部に対応する番組の録画予約に係る情報欄をすべて記載する場合と比較して、電子番組ガイドに係る情報量が増加する。さらに、録画予約が既に設定されている受信部に対応する情報欄のみ記載され、録画予約が既に設定されている番組の確認が容易になる。
【００１６】
また、上記構成の録画装置において、前記録画予約画像信号が、既に録画予約が設定されている前記受信部に対応する情報量に対して録画予約が設定されていない前記受信部に対応する情報量が少なくなるように前記番組の録画予約に係る情報欄を前記複数の受信部毎に前記電子番組ガイドに隣接させて併記した画像信号からなることを特徴としている。
【００１７】
この構成によれば、前記複数の受信部に対応する番組の録画予約に係る情報欄をすべて記載する場合と比較して、電子番組ガイドに係る情報量が増加する。さらに、録画予約が既に設定されている番組の確認が容易になるとともに、録画予約の設定に余裕がある受信部が明確になる。
【００１８】
また、上記構成の録画装置において、前記録画予約画像信号が、前記電子番組ガイドに係る情報欄が録画予約の候補として選択されている前記番組の情報欄に基づいた記載形態をなす画像信号からなることを特徴としている。
【００１９】
この構成によれば、番組の録画予約に係る情報欄を記載することで情報量が低下した電子番組ガイドであっても、ユーザによる番組の確認に係る効率が向上する。
【００２０】
また、上記構成の録画装置において、前記録画予約画像信号が、前記電子番組ガイドのうち録画予約の候補として選択されている前記番組が属するチャンネルの情報欄を前記番組の録画予約に係る情報欄に隣接させて併記した画像信号からなることを特徴としている。
【００２１】
この構成によれば、録画装置は録画予約の候補として選択されている番組が属するチャンネルの情報欄を番組の録画予約に係る情報欄のすぐそばに記載する。したがって、録画予約の候補として選択されている番組と、番組の録画予約に係る情報欄と、の関係の把握が容易になる。
【００２２】
また、上記構成の録画装置において、前記録画予約画像信号が、前記電子番組ガイドから既に録画予約が設定されている前記番組が属するチャンネルの情報欄を削除した画像信号からなることを特徴としている。
【００２３】
既に録画予約が設定されている番組が属するチャンネルについては、ユーザが比較的多くの番組情報を把握していると考えられる。したがって、上記構成によれば、録画装置はユーザが把握していると考えられるチャンネルの情報欄を削除し、他の電子番組ガイドに係る情報量を増加させる。
【００２４】
また、上記構成の録画装置において、前記録画予約画像信号が、前記電子番組ガイドのうち録画予約の候補として選択されている前記番組に類似する他の番組の情報欄を、録画予約の候補として選択されている前記番組が属するチャンネルの情報欄に隣接させて併記した画像信号からなることを特徴としている。
【００２５】
この構成によれば、録画装置はユーザが興味を示す番組の情報欄を多く記載する。したがって、ユーザによる番組の確認に係る効率が向上する。
【発明の効果】
【００２６】
本発明の構成によれば、録画予約を設定するときの電子番組ガイドに係る情報量の低下を抑制しながら、同じ時間帯に提供される複数の番組の録画予約の設定を好適に実行することが可能な録画装置を提供することができる。
【図面の簡単な説明】
【００２７】
【図１】本発明の第１実施形態の録画装置のブロック図である。
【図２】本発明の第１実施形態の録画装置が提供する電子番組ガイドの表示例を示す説明図である。
【図３】本発明の第１実施形態の録画装置が提供する電子番組ガイド及び録画予約欄の表示例を示す説明図である。
【図４】本発明の第２実施形態の録画装置が提供する電子番組ガイド及び録画予約欄の比較例を示す説明図である。
【図５】本発明の第２実施形態の録画装置が提供する電子番組ガイド及び録画予約欄の表示例を示す説明図である。
【図６】本発明の第３実施形態の録画装置が提供する電子番組ガイド及び録画予約欄の表示例を示す説明図である。
【図７】本発明の第４実施形態の録画装置が提供する電子番組ガイド及び録画予約欄の表示例を示す説明図である。
【図８】本発明の第５実施形態の録画装置が提供する電子番組ガイド及び録画予約欄の表示例を示す説明図である。
【図９】本発明の第６実施形態の録画装置が提供する電子番組ガイド及び録画予約欄の表示例を示す説明図である。
【図１０】本発明の第７実施形態の録画装置が提供する電子番組ガイド及び録画予約欄の表示例を示す説明図である。
【発明を実施するための形態】
【００２８】
以下、本発明の実施形態を図１〜図１０に基づき説明する。
【００２９】
＜第１実施形態＞
最初に、本発明の第１実施形態の録画装置について、図１を用いてその構成を説明する。図１は録画装置のブロック図である。
【００３０】
録画装置１は、図１に示すように受信部であるチューナ部２、データ処理部３、記録部４、出力部５、操作部６、制御部７、記憶部８及び電子番組ガイド処理部９を備える。録画装置１は不図示のアンテナやモニタ、或いはテレビジョン受信機に電気的に接続され、テレビジョン放送の録画のために利用される。
【００３１】
チューナ部２はテレビジョン放送局から提供される電子番組ガイドデータを含む放送信号の受信に利用される。チューナ部２は不図示のアンテナから受信した放送信号の選局及び復調を行う。なお、録画装置１はチューナ部２を６個備える。それら６個のチューナ部２を用いることで、録画装置１は同じ時間帯に提供される６つの放送信号を受信することができる。すなわち、録画装置１は同じ時間帯に提供される６つのテレビ番組（以下単に「番組」と称す）を録画することができる。
【００３２】
データ処理部３はチューナ部２から受け取った放送信号を記録部４、出力部５または制御部７に送信する。また、データ処理部３は再生処理がなされた記録部４の録画番組に係る映像音声信号を出力部５に送信する。
【００３３】
記録部４はチューナ部２及びデータ処理部３を介して放送信号として取得した番組を録画する。記録部４は複数の番組を録画することができる。記録部４はＨＤＤ（Hard disk drive）や光ディスク装置などからなり、録画装置１に内蔵されているもののほか、外付けされていても良い。
【００３４】
出力部５はデータ処理部３から受け取った映像音声信号や、メニュー画面、電子番組ガイド等の画像信号を外部に出力する。出力部５の出力信号は録画装置１に電気的に接続される例えばモニタ（図示せず）に送出される。モニタは出力部５の出力信号に基づく映像及び画面データを画面に出力し、音声をスピーカから出力する。
【００３５】
操作部６は録画装置１の筐体表面や不図示のリモコンに設けられた複数の各種操作キーを備える。例えば、操作部６はユーザによる電子番組ガイドに係る操作や、番組の録画予約に係る操作などを受け付ける。
【００３６】
制御部７は不図示の演算部やその他の電子部品で構成され、記憶部８等に予め記憶、入力されたプログラム、データに基づき、録画装置１の各構成要素から情報を得るとともにそれら構成要素の動作を制御して一連の放送信号の受信処理、録画処理及び出力処理を実現する。制御部５は電子番組ガイド処理部９を備える。なおここでは、制御部５が電子番組ガイド処理部９を備える構成としているが、制御部５とは別にして電子番組ガイド処理部９を備える構成であっても良い。
【００３７】
電子番組ガイド処理部９は放送信号に含まれる電子番組ガイドデータから電子番組ガイドを作成する処理を行う。制御部７は電子番組ガイド処理部９が作成した電子番組ガイドに基づいて番組ガイド画像信号を生成して出力する。番組ガイド画像信号は電子番組ガイドのみを記載した画面データに係る信号であって、出力部５を介して録画装置１に電気的に接続されるモニタ等に送出される。ユーザはモニタの画面に映る電子番組ガイドを見ることができる。
【００３８】
続いて、録画装置１が提供する電子番組ガイドと、録画装置１で行われる番組の録画予約について、図２及び図３を用いて説明する。図２は録画装置１が提供する電子番組ガイドの表示例を示す説明図、図３は録画装置１が提供する電子番組ガイド及び録画予約欄の表示例を示す説明図である。
【００３９】
録画装置１が提供する電子番組ガイド２０は、例えば図２に示す構成をなす。電子番組ガイド２０は、例えば横方向に並べられた複数のチャンネル欄２１（ｃｈ１〜ｃｈ９）ごとに各番組が時系列に沿って縦方向に並べられた構成をなす。１０以上のチャンネルの放送信号を受信できる場合、操作部６に設けた不図示の右キー等を押すことによりチャンネル欄２１を左方にスクロールさせ、ｃｈ１０以降をモニタの画面に表示させることができる。
【００４０】
図２に示す電子番組ガイド２０が表示されているときに、例えばユーザが操作部６を用いて番組にカーソルを合わせた状態で決定キーを押すといった操作を行うことで、ユーザは番組の録画予約の設定ができるようになる。このようにして、ユーザが番組の録画予約の設定に係る操作を行うと、図３に示すように番組の録画予約に係る情報欄である録画予約欄２２が電子番組ガイド２０に並べて表示される。
【００４１】
このとき、制御部７は録画予約欄２２を６個のチューナ２毎に電子番組ガイド２０に隣接させて併記した画面データに係る信号である録画予約画像信号を生成して出力する。録画予約画像信号は出力部５を介して録画装置１に電気的に接続されるモニタ等に送出される。ユーザはモニタの画面に映る電子番組ガイド２０と録画予約欄２２とが併記された画像を見ることができる。
【００４２】
ここでは、ユーザが、図２に示すチャンネル「ｃｈ７」の番組「ＡＡＡ」の録画予約の設定に係る操作を行ったものとする。すると、録画装置１は、図３に示すようにチャンネル「ｃｈ７」から右方に続く電子番組ガイド２０の左方に隣接して６個のチューナ２に対応して形成された６個の録画予約欄２２（録画１〜録画６）が記載された画像がモニタの画面に映るよう録画予約画像信号を出力する。図３における「録画１」、「録画２」及び「録画３」の録画予約欄２２に記載された４箇所の網掛け部は、各々に対応した時間帯に放送される番組の録画予約が既に設定されていることを示す。
【００４３】
このようにして、制御部７は番組ガイド画像信号の出力中、すなわち図２に示す電子番組ガイド２０をモニタが表示しているときに操作部６が番組の録画予約の設定に係る操作を受け付けたときに録画予約画像信号を出力して図３に示す電子番組ガイド２０と録画予約欄２２とを併記した画像をモニタに表示させる。一方、制御部７は録画予約画像信号の出力中、すなわち図３に示す電子番組ガイド２０と録画予約欄２２とを併記した画像をモニタが表示しているときに操作部６が番組の録画予約の完了に係る操作を受け付けたときに番組ガイド画像信号を出力して図２に示す電子番組ガイド２０をモニタに表示させる。
【００４４】
上記のように、本発明の第１実施形態の録画装置１は、複数のチューナ部２と、チューナ部２が放送信号として受信した番組を録画する記録部４と、放送信号に含まれる電子番組ガイドデータから電子番組ガイド２０を作成する電子番組ガイド処理部９と、ユーザによる電子番組ガイド２０に係る操作と番組の録画予約に係る操作とを受け付ける操作部６と、電子番組ガイド２０のみを記載した画面データに係る信号である番組ガイド画像信号と、録画予約欄２２を複数のチューナ部２毎に電子番組ガイド２０に隣接させて併記した画面データに係る信号である録画予約画像信号と、を生成して出力する制御部７と、を備える。そして、制御部７が、番組ガイド画像信号の出力中に操作部６が番組の録画予約の設定に係る操作を受け付けたときに録画予約画像信号を出力し、録画予約画像信号の出力中に操作部６が番組の録画予約の完了に係る操作を受け付けたときに番組ガイド画像信号を出力する。これにより、録画装置１は操作部６が受け付けたユーザの操作に基づいて番組ガイド画像信号の出力と、録画予約画像信号の出力と、を切り替える。したがって、録画予約を設定するときにユーザが見ることができる電子番組ガイド２０に係る情報量の低下を抑制することができる。さらに、同じ時間帯に提供される複数の番組の録画予約の設定も容易になる。
【００４５】
＜第２実施形態＞
次に、本発明の第２実施形態の録画装置について、図４及び図５を用いてその構成を説明する。図４は録画装置が提供する電子番組ガイド及び録画予約欄の比較例を示す説明図、図５は録画装置が提供する電子番組ガイド及び録画予約欄の表示例を示す説明図である。なお、この実施形態の基本的な構成は先に説明した第１実施形態と同じであるので、図面の記載及びその説明を省略するものとする。
【００４６】
なお、図４に示した画面は、電子番組ガイド２０内のチャンネルが異なるが第１実施形態で説明した図３に示した画面と同様の構成である。またここでは、ユーザが図４及び図５に示すチャンネル「ｃｈ２」の番組「ＢＢＢ」の録画予約の設定に係る操作を行ったものとし、以下第３及び第４実施形態も同様とする。
【００４７】
第２実施形態の録画装置１は、比較例として図４に示した電子番組ガイド２０と録画予約欄２２とを併記した画像に対して、図５に示すように録画予約欄２２を減縮させた画像がモニタの画面に映るよう録画予約画像信号を出力する。すなわち、録画予約画像信号が、録画予約欄２２を減縮して複数のチューナ部２毎に電子番組ガイド２０に隣接させて併記した画像信号からなる。これにより、６個の録画予約欄２２をすべて記載する場合と比較して、電子番組ガイド２０に係る情報量が増加する。
【００４８】
図５によれば、録画予約の候補として選択されている「ｃｈ２」の番組「ＢＢＢ」と放送時間帯が重複する他の番組の録画予約が既に設定されている録画予約欄２２である「録画１」及び「録画３」が表示されていない。すなわち、録画予約画像信号が、録画予約の候補として選択されている「ｃｈ２」の番組「ＢＢＢ」と放送時間帯が重複する他の番組の録画予約が既に設定されている録画予約欄２２である「録画１」及び「録画３」を削除して複数のチューナ２部毎に電子番組ガイド２０に隣接させて併記した画像信号からなる。
【００４９】
このようにして、録画装置１は録画予約が既に設定されているチューナ２部に対応する録画予約欄２２を削除することで、残った録画予約欄２２を明確にすることができる。したがって、放送時間帯が重複する番組をあといくつ録画予約できるか確認を容易にすることが可能である。
【００５０】
＜第３実施形態＞
次に、本発明の第３実施形態の録画装置について、図６を用いてその構成を説明する。図６は録画装置が提供する電子番組ガイド及び録画予約欄の表示例を示す説明図である。なお、この実施形態の基本的な構成は先に説明した第１及び第２実施形態と同じであるので、図面の記載及びその説明を省略するものとする。
【００５１】
第３実施形態の録画装置１は、図６に示すように６個のチューナ２に対応する録画予約欄２２のうち既に録画予約が設定されている録画予約欄２２である「録画１」、「録画２」及び「録画３」のみを電子番組ガイド２０に隣接させて併記した画像がモニタの画面に映るよう録画予約画像信号を出力する。すなわち、録画予約画像信号が、既に録画予約が設定されている録画予約欄２２のみ複数のチューナ２毎に電子番組ガイド２０に隣接させて併記した画像信号からなる。
【００５２】
このようにして、録画装置１は録画予約が既に設定されているチューナ２に対応する録画予約欄２２のみを記載することで、録画予約が既に設定されている番組の確認を容易にすることが可能である。
【００５３】
＜第４実施形態＞
次に、本発明の第４実施形態の録画装置について、図７を用いてその構成を説明する。図７は録画装置が提供する電子番組ガイド及び録画予約欄の表示例を示す説明図である。なお、この実施形態の基本的な構成は先に説明した第１及び第２実施形態と同じであるので、図面の記載及びその説明を省略するものとする。
【００５４】
第４実施形態の録画装置１は、図７に示すように６個のチューナ２に対応する録画予約欄２２のうち既に録画予約が設定されている「録画１」、「録画２」及び「録画３」の録画予約欄２２は通常の幅とするが、録画予約が設定されていない「録画４」、「録画５」及び「録画６」の録画予約欄２２は通常の１／３の幅とする。なお、図７では、「録画４」、「録画５」及び「録画６」の録画予約欄２２はそれらの名称が「４」、「５」及び「６」とのみ表記されている。
【００５５】
録画装置１はこのような録画予約欄２２を電子番組ガイド２０に隣接させて併記した画像がモニタの画面に映るよう録画予約画像信号を出力する。すなわち、録画予約画像信号が、既に録画予約が設定されているチューナ２に対応する録画予約欄２２に対して録画予約が設定されていないチューナ２に対応する録画予約欄２２が少なくなるように録画予約欄２２を複数のチューナ２毎に電子番組ガイド２０に隣接させて併記した画像信号からなる。
【００５６】
このようにして、録画装置１は録画予約の設定の有無によって録画予約欄２２の記載方法を変えつつすべてのチューナ２に対応する録画予約欄２２を記載することで、録画予約が既に設定されている番組が容易に確認できるとともに、録画予約の設定に余裕があるチューナ２（録画予約欄２２）を明確にすることが可能である。
【００５７】
＜第５実施形態＞
次に、本発明の第５実施形態の録画装置について、図８を用いてその構成を説明する。図８は録画装置が提供する電子番組ガイド及び録画予約欄の表示例を示す説明図である。なお、この実施形態の基本的な構成は先に説明した第１実施形態と同じであるので、図面の記載及びその説明を省略するものとする。ここでは、図８に関して、既に録画予約が設定されている録画予約欄２２が「録画１」及び「録画２」であって、ユーザがチャンネル「ｃｈ７」の番組「ＡＡＡ」の録画予約の設定に係る操作を行ったものとし、以下第６及び第７実施形態も同様とする。
【００５８】
第５実施形態の録画装置１は、図８に示すように電子番組ガイド２０のうち録画予約の候補として選択されている番組「ＡＡＡ」が属するチャンネル「ｃｈ７」の情報欄を録画予約欄２２に隣接させた画像がモニタの画面に映るよう録画予約画像信号を出力する。すなわち、録画予約画像信号が、電子番組ガイド２０のうち録画予約の候補として選択されている番組「ＡＡＡ」が属するチャンネル「ｃｈ７」の情報欄を録画予約欄２２に隣接させて併記した画像信号からなる。
【００５９】
このようにして、録画装置１において、録画予約画像信号が、電子番組ガイド２０に係る情報欄が録画予約の候補として選択されている番組「ＡＡＡ」の情報欄に基づいた記載形態をなす画像信号からなる。したがって、録画予約欄２２を記載することで情報量が低下した電子番組ガイド２０であっても、ユーザによる番組の確認に係る効率を向上させることが可能になる。
【００６０】
さらに、録画装置１は録画予約の候補として選択されている番組「ＡＡＡ」が属するチャンネル「ｃｈ７」の情報欄を録画予約欄２２のすぐそばに記載することで、録画予約の候補として選択されている番組「ＡＡＡ」と録画予約欄２２との関係の把握を容易にすることが可能である。
【００６１】
＜第６実施形態＞
次に、本発明の第６実施形態の録画装置について、図９を用いてその構成を説明する。図９は録画装置が提供する電子番組ガイド及び録画予約欄の表示例を示す説明図である。なお、この実施形態の基本的な構成は先に説明した第１及び第５実施形態と同じであるので、図面の記載及びその説明を省略するものとする。ここでは、「録画１」に対応するチューナ２（録画予約欄２２）にチャンネル「ｃｈ１」及び「ｃｈ３」の番組の録画予約が既に設定され、「録画２」に対応するチューナ２（録画予約欄２２）にチャンネル「ｃｈ４」の番組の録画予約が既に設定されているものとする。
【００６２】
第６実施形態の録画装置１は、図９に示すように電子番組ガイド２０のうち既に録画予約が設定されているチャンネル「ｃｈ１」、「ｃｈ３」及び「ｃｈ４」の情報欄を非表示にして録画予約欄２２に隣接させた画像がモニタの画面に映るよう録画予約画像信号を出力する。すなわち、録画予約画像信号が、電子番組ガイド２０から既に録画予約が設定されている番組が属するチャンネル「ｃｈ１」、「ｃｈ３」及び「ｃｈ４」の情報欄を削除した画像信号からなる。
【００６３】
既に録画予約が設定されている番組が属するチャンネル「ｃｈ１」、「ｃｈ３」及び「ｃｈ４」については、ユーザが比較的多くの番組情報を把握していると考えられる。したがって、上記構成によれば、録画装置１はユーザが把握していると考えられるチャンネルの情報欄を削除することで、他の電子番組ガイド２０に係る情報量を増加させることが可能である。
【００６４】
＜第７実施形態＞
次に、本発明の第７実施形態の録画装置について、図１０を用いてその構成を説明する。図１０は録画装置が提供する電子番組ガイド及び録画予約欄の表示例を示す説明図である。なお、この実施形態の基本的な構成は先に説明した第１及び第５実施形態と同じであるので、図面の記載及びその説明を省略するものとする。ここでは、ユーザが録画予約の候補として選択している番組「ＡＡＡ」の種類が「スポーツ」であるものとする。
【００６５】
第７実施形態の録画装置１は、図１０に示すように電子番組ガイド２０のうち録画予約の候補として選択されているスポーツ番組「ＡＡＡ」に類似する他のスポーツ番組の情報欄を、番組「ＡＡＡ」が属するチャンネル「ｃｈ７」の情報欄に隣接させた画像がモニタの画面に映るよう録画予約画像信号を出力する。すなわち、録画予約画像信号が、電子番組ガイド２０のうち録画予約の候補として選択されているスポーツ番組「ＡＡＡ」に類似する他のスポーツ番組の情報欄を、録画予約の候補として選択されているスポーツ番組「ＡＡＡ」が属するチャンネル「ｃｈ７」の情報欄に隣接させて併記した画像信号からなる。
【００６６】
このようにして、録画装置１はスポーツ番組「ＡＡＡ」に類似する他のスポーツ番組の情報欄を、録画予約の候補として選択されているスポーツ番組「ＡＡＡ」が属するチャンネル「ｃｈ７」の情報欄のすぐそばに記載することで、ユーザが興味を示すスポーツ番組の情報欄を多く記載する。したがって、ユーザによる番組の確認に係る効率を向上させることが可能である。
【００６７】
なおここでは、番組の類似の判断基準を番組の種類のうちの「スポーツ」としたが、種類が「スポーツ」に限定されるわけではなく、他の「ニュース」や「ドラマ」、「映画」等であっても良い。さらに、番組の類似の判断基準が番組の「種類」に限定されるわけではなく、他の「出演者」や「タイトル」等であっても良い。
【００６８】
以上、本発明の実施形態につき説明したが、本発明の範囲はこれに限定されるものではなく、発明の主旨を逸脱しない範囲で種々の変更を加えて実施することができる。
【００６９】
例えば、電子番組ガイド２０の各チャンネルの情報欄を全体的に小さくして全チャンネルの情報欄が電子番組ガイド２０として収まった画像がモニタの画面に映るよう録画予約画像信号を出力することにしても良い。また、電子番組ガイド２０が衛星放送用のものである場合、契約済みのチャンネルや無料放送のチャンネルを優先して作成した電子番組ガイド２０の画像がモニタの画面に映るよう録画予約画像信号を出力することにしても良い。
【００７０】
また、ユーザが現在視聴しているチャンネルを優先して作成した電子番組ガイド２０の画像がモニタの画面に映るよう録画予約画像信号を出力することにしても良い。また、電子番組ガイド２０に優先的に表示させるチャンネルをユーザが任意に設定した電子番組ガイド２０の画像がモニタの画面に映るよう録画予約画像信号を出力することにしても良い。
【産業上の利用可能性】
【００７１】
本発明は録画装置において利用可能である。
【符号の説明】
【００７２】
１    録画装置
２    チューナ部（受信部）
４    記録部
５    出力部
６    操作部
７    制御部
８    記憶部
９    電子番組ガイド処理部
【図１】
2015019202.tif 000003
【図２】
2015019202.tif 000004
【図３】
2015019202.tif 000005
【図４】
2015019202.tif 000006
【図５】
2015019202.tif 000007
【図６】
2015019202.tif 000008
【図７】
2015019202.tif 000009
【図８】
2015019202.tif 000010
【図９】
2015019202.tif 000011
【図１０】
2015019202.tif 000012